(57)【特許請求の範囲】
【請求項１】
中空状躯体部と、前記中空状躯体部内に配設され且つ使用時に個々に取り出すべき多数の物品を受容する貯蔵領域と、前記中空状躯体部における取り出し口と、前記貯蔵領域と前記取り出し口との間の前記中空状躯体部における通路と、前記貯蔵領域から前記取り出し口まで前記通路を介して前記各物品の流れを制御するための前記中空状躯体部内の弁と、前記弁を操作するための手動操作手段とから成り、
前記手動操作手段が、前記中空状躯体部の周壁領域と一体的に形成され前記貯蔵領域と前記取り出し口との間に配設され且つ一体化弾性壁領域によって前記中空状躯体部の前記周壁領域に結合され、
前記一体化弾性壁領域の変形が、前記周壁領域と一体的に形成される内部弁の開放と前記複数の物品の取り出しを阻止する阻止手段の閉鎖とをもたらすことを特徴とするディスペンサ。
【請求項２】
前記手動操作手段が、ボタンを具備して成ることを特徴とする請求項１に記載のディスペンサ。
【請求項３】
前記弁が、前記中空状躯体部内にあり且つ前記手動操作手段と一体的に形成される弁部材を具備することを特徴とする請求項１又は２に記載のディスペンサ。
【請求項４】
前記阻止手段が、前記弁部材の上流側に配設されることを特徴とする請求項３に記載のディスペンサ。
【請求項５】
前記阻止手段が、ただ一個の物品のみを受容する大きさの通路領域を画成するように前記弁部材から離間して成ることを特徴とする請求項３又は４に記載のディスペンサ。
【請求項６】
前記阻止手段が、前記手動操作手段と一体的に形成さることを特徴とする請求項１〜５の何れか１項に記載のディスペンサ。
【請求項７】
前記ディスペンサが所定の方向に位置決めされると、取り出される前記物品が前記取り出し口からの放出を求められるまで、前記取り出される物品をそこに一時的に保留する保留領域が画成されることを特徴とする請求項１〜６の何れか１項に記載のディスペンサ。
【発明の詳細な説明】
【０００１】
（技術分野）
本発明は、菓子、食物栄養補助剤、薬剤とその他の錠剤サイズ品のような個々に分離した物品を保留し且つ取り出すためのディスペンサに関し、更に詳しくは、手動操作可能なディスペンサに関する。
【０００２】
（背景技術）
個々に分離した物品を取り出すための手動操作可能なディスペンサが数多く知られている。それらは一般に、多数の作動部品を具備しているので複雑で且つ製作コストが高くなると言う問題を有している。また、多くのものが、取り出し機構の少なくとも一部が外部環境に開放され、従って、衛生問題または機械停止問題に通じる汚染または破損をもたらす。
【０００３】
欧州特許出願公開第１０３８７９７号明細書は、キャンディやピルのような製品用のポケットディスペンサを開示している。前記ポケットディスペンサは、貯蔵空間、出口と取り出し機構を具備し、該取り出し機構がユーザによって起動されると、開口部部を介して前記貯蔵空間から所定個数の物品を取り出す。前記ディスペンサは、前記貯蔵空間と取り出し機構を具備する交換可能カートリッジとそれらと脱着自在に結合されるホルダから構成される。
【０００４】
米国特許第２６５３７０６号明細書は、中空状内の物品の順序づけられた配列からそれらの物品を一度に一個取り出す錠剤等の物品のための取り出し中空状を開示している。前記ディスペンサは、中空状の他の物品を汚染物質にさらすことなく一個の物品を取り出す。前記ディスペンサは、前記中空状の頂部と底部を一緒に押すことによって操作され、それが出口に取り出すべき物品を持ち上げて前記物品を中空状から移動することを可能にする。
【０００５】
米国特許第５４０５０４７号明細書は、整列されていない原料からピルまたは錠剤を一度に一個取り出すためのディスペンサを開示している。前記物品は、ディスペンサの第１の部分を第２の部分内に押し込むことによって取り出される。
この押し込みは、取り出し溝を閉鎖して、仕切り無しに通され、それによって錠剤を取り出すトラフ状のボタン底壁端面に帰着する。
【０００６】
仏国特許出願公開第２６５９３００号明細書は、底に受容される各製品を一個ずつ取り出すための装置を取り付けられる箱を開示している。前記箱は、底部と、各製品を取り出すための開口部を有する蓋と、前記取り出し装置と一個ずつ前記各製品の保有または取り出しを可能にする前記開口部と結合される前記蓋を作動させるための部材とを有する。
【０００７】
独国実用新案出願公開第９００５７５７号明細書は、貯蔵空間と、一個の物品を取り出すように設計された開口部とから成る一個の物品を取り出すためのディスペンサを開示している。その躯体部は、一個の物品を取り出せるように前記開口部を開くために互に縦方向に滑動可能な上方と下方部分から成る。
【０００８】
（発明の開示）
本発明の目的は、上記各問題点を回避または軽減することが可能な改良されたディスペンサを提供することである。
【０００９】
本発明の第１の実施態様によれば；
中空状躯体部と、前記中空状躯体部内に配設され且つ使用時に個々に取り出すべき多数の物品を受容する貯蔵領域と、前記中空状躯体部における取り出し口と、前記貯蔵領域と前記取り出し口との間の前記中空状躯体部における通路と、前記貯蔵領域から前記取り出し口まで前記通路を介して前記各物品の流れを制御するための前記中空状躯体部内の弁と、前記弁を操作するための手動操作手段とから成り、
前記手動操作手段が、前記中空状躯体部の周壁領域と一体的に形成され前記貯蔵領域と前記取り出し口との間に配設され且つ一体化弾性壁領域によって前記中空状躯体部の前記周壁領域に結合され、
前記一体化弾性壁領域の変形が、前記周壁領域と一体的に形成される内部弁の開放と前記複数の物品の取り出しを阻止する阻止手段の閉鎖とをもたらすことを特徴とするディスペンサが提供される。
【００１０】
前記阻止部材は、前記通路領域を画成するように前記弁部材の両側に配設できるが、好ましくは前記弁部材の上流側に配設される。この好ましい実施態様において、前記弁部材がその開放位置にあると、前記阻止部材は閉止位置にあり、それによって前記物品が前記通路領域に移入することを阻止することにより前記通路領域を介した前記物品の通過を阻止する。しかしながら、前記阻止部材が、前記弁部材の下流側に配設されると、前記阻止部材は、前記物品が前記通路領域から出ることを阻止することにより前記通路領域を通る前記物品の通過を阻止する。前記通路領域は、前記貯蔵領域から一個以上の前記物品を受容する大きさのものとしても良いが、好ましくは、前記各物品が単独で取り出されるようにただ一個の前記物品だけを受容する大きさのものである。
【００１１】
好ましくは、前記中空状躯体部は、一対の成形躯体部より成り且つ如何なる所望の大きさと形状であっても良いが、好ましくは掌中に容易に保持できる大きさと形状のものである。
【００１２】
好ましくは、前記ディスペンサが所定の方向に位置決めされると、取り出される前記物品が前記取り出し口からの放出を求められるまで、前記取り出される物品を前記取り出し口の領域の通路内に一時的に保留する保留領域が画成される。
【００１３】
好ましくは、前記弁部材は、前記手動操作手段と一体的に形成される。
【００１４】
好ましくは、前記弁を操作するための前記手動操作手段が、前記中空状躯体部の周壁領域と一体的に形成されることによって、その中に埃が侵入して前記手動操作手段の操作に干渉する領域に何等の接合部も存在しない。
【００１５】
都合良いことには、前記手動操作手段が、一体化弾性壁領域によって前記中空状躯体部の前記周壁領域に結合されるボタンから成る。好ましくは、前記弁は、前記中空状躯体部内にあって前記手動操作手段と一体的に形成される弁部材を具備する。
【００１６】
より好ましくは、前記阻止部材は、好ましくは前記手動操作手段と一体的に形成される。
【００１７】
好ましくは、前記一体化弾性壁領域の変形が、前記周壁領域と一体的に形成される内部弁の開放と前記複数の物品の取り出しを阻止する阻止手段の閉鎖とをもたらす前記局在化壁領域の変形は、前記壁領域と一体的に形成されている内部弁の開放と、複数の物品が取り出されることを阻止するための阻止部材の閉鎖をもたらす。
【００１８】
更に、前記ディスペンサが所定の方向に位置決めされると、取り出される前記物品が前記取り出し口からの放出を求められるまで、前記取り出される物品をそこに一時的に保留する保留領域が画成されることが好ましい。
【００１９】
前記保留手段は、使用時に、一時的に保留された前記物品が前記取り出し口を通して目視できるように配設される。
【００２０】
（発明を実施するための最良の態様）
本発明の実施態様を添付する図面を参照して例示する。
【００２１】
図１〜５において図示されたディスペンサは、小さな円筒形はっかのような個々に分離した各菓子物品Ｃを取り出すように意図されている第１の実施態様である。前記ディスペンサは、そこに前記各菓子物品Ｃが蓄えられる上方貯蔵領域１２と下方取り出し口１４とを有する扁平卵形の中空状躯体部１０から成る。前記ディスペンサは更に、前記取り出し口１４への前記各菓子物品Ｃの通過を制御するための矢印１６で示された弁と、前記弁１６が開放される毎に一個だけの前記菓子物品Ｃが取り出されることを保証するための阻止板１７とを具備する。
【００２２】
前記中空状躯体部１０は、成形された合成プラスチックの前シェル１８と後シェル２０より形成される。この実施態様において、前記各シェル１８，２０は、各穴５０に圧入される各ピンによって一体的に保持されるが、代わって速動嵌め込み結合子（図示せず）により一体的に保持することも可能である。前記上方貯蔵領域１２の底部は、下方と内方に傾斜する各外側領域を有する成形内壁２２により前記中空状躯体部１０内に画成されて中央喉部２４に至る。前記中央喉部２４は、開口部２８を透設して横方向に湾曲した底壁２６を具備する。前記成形内壁２２と前記中央喉部２４は、前記後シェルの壁部から前方に延伸するように前記後シェル２０に一体的に成形される。
【００２３】
前記開口部２８を有する前記底壁２６は前記弁１６の一部を形成する。棚部２９も前記後シェル２０に一体的に成形される。前記棚部２９は、前記成形内壁２２の上方で前記上方貯蔵領域１２を横切って延伸し且つ前記上方貯蔵領域１２内の略半分まで突出する。前記後シェル２０も前記中央喉部２４内を縦方向に延伸する内部の横方向に間隔を置いて配設される各平行リブ３０に一体的に成形される。前記各平行リブ３０の上方端部は、前記中央喉部２４に向けてただ一個の前記菓子物品Ｃを指向させるように（図２）湾曲化される。
【００２４】
更に、各内方リブ３２が前記各平行リブ３０と前記底壁２６の下方に間隔を置いて配設され、該各内方リブ３２は前記取り出し口１４が位置する前記中空状躯体部１０の下方端部に向けて延長する。前記各リブ３０と３２の相互に隣接する縦方向端部は、横方向に湾曲して前方に開口するスロット３３を画成するように成形される。前記各内方リブ３２は、前記後シェル２０と一体的に成形され且つ前記スロット３３と前記底壁２６の下方に間隔を置いて配設される通路領域４６とを画成することを助ける各外壁４８を有する。前記各リブ３０と３２は、前記後シェル２０を強化し且つ前記各菓子物品Ｃの通過を容易にするために役立つ。
【００２５】
前記前シェル１８は、手動操作可能な押しボタン３４を画成する局在化領域を有して成形され、前記押しボタン３４は、該押しボタン３４が押圧可能なように、比較的薄い区域の周囲弾性領域３６によって前記前シェル１８の残部と一体的に結合される。前記阻止板１７は、前記中央喉部２４の上方端部の直下で前記後シェル２０に向けて前記押しボタン３４の内面から後方に突出するように前記前シェル１８と一体的に成形される。前記阻止板１７は、矩形であり且つ図２に示した位置で前記各平行リブ３０に向けて前記中央喉部２４中に突出するような寸法で形成されるが、しかし、前記阻止板１７は、前記貯蔵領域１２の一個の前記菓子物品Ｃが前記中央喉部２４の底部まで通過して前記底壁２６に載置されることを阻止する程度まで突出しない。前記前シェル１８もまた、前記押しボタン３４の裏側で横方向に間隔を置いて配設される各縦リブ３５を一体的に成形する。前記各平行リブ３０と同様に、前記各縦リブ３５の上端は、前記中央喉部２４に向けてただ一個の前記菓子物品Ｃを指向させることを援助するために前記各平行リブ３０と連係して作用し且つ使用中の変形を低減するために前記押しボタン３４を強化するように湾曲化される。
【００２６】
前記各平行リブ３０と前記各縦リブ３５の相互に対向する内方端縁は、前記中央喉部２４を画成する前記成形内壁２２の各部と共に、前記菓子物品Ｃの外形に近似する断面形状の通路を画成するように輪郭付けされるが（図５参照）、しかし、前記通路は、ただ一個の前記菓子物品Ｃだけが前記阻止板１７を通過して前記底壁２６に載置されることを可能にするために適当に大きくなっている。
【００２７】
前記成形内壁２２は、前記押しボタン３４の押圧を可能にするために十分に前記前シェル１８から間隔を置いて配設される。
【００２８】
また、前記押しボタン３４から後方に延伸するように前記前シェル１８と一体的に成形される弁要素３８が、前記弁１６の一部を形成する。前記弁要素３８は、前記通路領域４６の上方に配置され且つ前記底壁２６の下側に当接する。図１からわかるように、前記弁要素３８は、前記底壁２６の形状と前記弁要素３８が係合する前記スロット３３の形状とに一致するように横方向に湾曲化される。前記弁要素３８は開口部４０を有し、前記押しボタン３４が手動で押されない場合、前記各菓子物品Ｃが前記各開口部２８，４０を通過できないように前記開口部４０は前記底壁２６の前記開口部２８に対し十分に位置ずれを与えられる。
【００２９】
前記取り出し口１４は、前記取り出し口１４の上方に下方へ傾斜して曲げられたフランジ４２と、前記取り出し口１４の下方のリップ付きポケット領域４３とを画成する内部ポケット４１と一体的に成形される前記前シェル１８に画成される。前記内部ポケット４１は、上方に開放した開口部４４を有し、前記開口部４４は、前記開口部４０の下方で該開口部４０から間隔を置いて配設される。
【００３０】
上述した説明から、前記貯蔵領域１２と前記取り出し口１４との間に延伸する前記中空状躯体部１０内に通路が画成され、該通路は、（ｉ）前記中央喉部２４、（ｉｉ）前記弁１６の下方の前記通路領域４６、（ｉｉｉ）前記開口部４４、（ｉｖ）前記ポケット４１の内部によって画成されることが理解されよう。前記弁要素３８と前記阻止板１７は、前記通路に対して横断方向に可動である。
【００３１】
使用時、弛緩または非押圧状態にある前記押しボタン３４によって、前記阻止板１７と前記弁要素３８は、図２と５に示した位置にあり、それによって、前記ディスペンサが図１に示したように直立方向に保持されると、位置ずれを与えられた前記各開口部２８，４０を通過することなくただ一個の前記菓子物品Ｃが前記中央喉部２４の底部に落下することを許容する。
【００３２】
ただ一個の前記菓子物品Ｃを取り出したい場合、前記押しボタン３４が手動で内方に押圧される。これは、前記ディスペンサを掌中または親指と人差し指の間に保持して前記押しボタン３４を親指で押すことにより片手だけを用いて便利に行える。この操作は、前記弁要素３８を前記底壁２６に対して前記スロット３３内で後方に滑動させて前記スロット３３の底部に当接させる。この位置において、前記各開口部２８，４０は、前記中央喉部２４の底部の菓子物品Ｃがそこを通過するに十分に位置合わせされる。しかしながら、前記押しボタン３４の押圧は、如何なる別異の各菓子物品Ｃが前記中央喉部２４の底部に、更に位置合わせされた前記各開口部２８，４０を経て通過することを阻止するように、前記阻止板１７を更に前記各平行リブ３０に向け後方に移動させる。
【００３３】
前記中空状躯体部１０が略直立して保持されるならば、前記通路領域４６と前記開口部４４を通過したただ一個の前記菓子物品Ｃは、前記リップ付きポケット領域４３に保留されるように前記内部ポケット４１中に落下する。従って、前記リップ付きポケット領域４３に保留されたただ一個の前記菓子物品Ｃは、前記中空状躯体部１０の適当な傾倒によって前記取り出し口１４から手または口へ簡単に放出される。
【００３４】
前記押しボタン３４への手動加圧が緩められると、前記周囲弾性領域３６の弾性が前記押しボタン３４をその原点に復帰させ、それによって、前記各開口部２８，４に再び位置ずれを与え、また前記貯蔵領域１２から別異の前記菓子物品Ｃが前記中央喉部２４の底部へ落下することを許容する。
【００３５】
前記棚部２９は、前記取り出し機構に作用する前記各菓子物品Ｃの重さを低減させる。これは、前記各菓子物品Ｃが前記取り出し機構の上方でより自由に動けることを許容されることによって、前記ディスペンサのより信頼できる機能を提供する。
【００３６】
次に、図６と７に図示されたディスペンサは、小さな円筒形はっかのような個々に分離した各菓子物品Ｃを取り出すように意図されている第２の実施態様である。第１の実施態様のものと対応する構成要素には対応した番号が付けられており、変更態様についてのみ説明する。第１の実施態様と同様に、ディスペンサは、そこに前記各菓子物品Ｃが蓄えられる上方貯蔵領域１２と下方取り出し口１４とを有する扁平卵形の中空状躯体部１０から成る。前記ディスペンサは更に、前記取り出し口１４への前記各菓子物品Ｃの通過を制御するための矢印１６で示された弁と、前記弁１６が開放される毎に一個だけの前記菓子物品Ｃが取り出されることを保証するための阻止板１７とを具備する。
【００３７】
前記中空状躯体部１０は、成形された合成プラスチックの前シェル１８と後シェル２０より形成される。この実施態様において、前記各シェル１８，２０は、各穴５０に圧入される各ピンによって一体的に保持される。下方と内方に傾斜する各外側領域を有する成形内壁２２も前記中央喉部２４の一部を画成する。前記中央喉部２４は、開口部２８を有する平形の底壁２６を有する。制御部材１２９が、前記中央喉部２４への入口の上方に前記後シェル２０と一体的に形成される。前記制御部材１２９は、前記壁２９の代わりであり、前記前シェル１８に向けて前記貯蔵領域１２の前方に延伸する。前記制御部材１２９は、前記各菓子物品Ｃが前記中央喉部２４への移入のために正しく方向づけられるように保証することを助ける。
【００３８】
前記後シェル２０もまた、前記中央喉部２４内で縦方向に延伸する内部の横方向に間隔を置いて配設される各平行リブ１３０と一体的に成形される。前記各平行リブ１３０の上方端部は、前記中央喉部２４に向けてただ一個の前記菓子物品Ｃを指向させるように角度が付けられている（図７参照）。前記各平行リブ１３０は、ただ一個の前記菓子物品Ｃだけが前記中央喉部２４中に移入することを許容されるように形成され、更に別異の前記各菓子物品Ｃは前記各平行リブ１３０の形状によって前記中央喉部２４の上方に保持される。
【００３９】
前記各平行リブ１３０と前記成形内壁２２の各下方端部は、前方に開放したスロット３３を画成するように形成される。前記各平行リブ１３０と前記成形内壁２２は、前記後シェル２０を強化し且つ前記中央喉部２４を介した前記各菓子物品Ｃの通過を制御するために役立つ。前記成形内壁２２はまた、前記弁１６の下方の前記通路領域４６を画成するために役立つ。
【００４０】
阻止手段を構成する各リブ１１７は、第１の実施態様に記述したように、前記押しボタン３４の内面から前記後シェル２０に向けて後方に突出するように前記前シェル１８と一体的に成形され且つ前記中央喉部２４の正面を画成する。前記各リブ１１７は、相互に平行であり、図７に示した位置において、それらは前記各平行リブ１３０に向けて前記中央喉部２４中に突出するような寸法で形成されるが、しかし、前記各リブ１１７は、前記貯蔵領域１２の一個の前記菓子物品Ｃが前記中央喉部２４の底部まで通過して前記弁要素３８に載置されることを阻止する程度まで突出しない。前記前シェル１８もまた、前記押しボタン３４の裏側で横方向に間隔を置いて配設される各縦リブ３５を一体的に成形する。前記各平行リブ１３０と同様に、前記各リブ１１７の上端は、前記中央喉部２４に向けてただ一個の前記菓子物品Ｃを指向させることを援助するために前記各平行リブ１３０と連係して作用する。前記各リブ１１７は更に，使用中の変形を低減するために前記押しボタン３４を強化する。前記前シェル１８はまた、前記弁要素３８の上方でそれと垂直に形成される一対の一体的に成形された案内板１５２を有する。前記各案内板１５２は、前記成形内壁２２の各外面の各凹部２２ａに緊密な滑り嵌めされ且つ前記押しボタン３４の制御された内方への押圧を保証する。
【００４１】
前記各平行リブ１３０と前記各リブ１１７の相互に対向する内方縁端は、前記中央喉部２４を画成する前記成形内壁２２の各部と共に、前記菓子物品Ｃの外形に近似する断面形状の通路を画成するように輪郭付けされるが、しかし、前記通路は、ただ一個の前記菓子物品Ｃだけが前記阻止板１７を通過して前記弁要素３８に載置されることを可能にするために適当に大きくなっている。
【００４２】
前記成形内壁２２は、前記押しボタン３４の押圧を可能にするために十分に前記前シェル１８から間隔を置いて配設される。
【００４３】
前記弁要素３８は、前記押しボタン３４から後方に延伸するように前記前シェル１８と一体的に成形される。前記弁要素３８は、前記底壁２６の上方の前記中央喉部２４に配設され且つ前記底壁２６に当接する。前述の実施態様と異なり、図６から明らかなように、前記弁要素３８は、それが係合する前記底壁２６と前記スロット３３と同様に平坦である。
【００４４】
前記取り出し口１４は，前記前シェル１８に画成される。前記後シェル２０は、前記内部ポケット４１と前記取り出し口１４の下方の前記リップ付きポケット領域４３と共に一体的に成形される。
【００４５】
上述した記載から、前記貯蔵領域１２と前記取り出し口１４との間に延伸する前記中空状躯体部１０内に通路が画成され、該通路は、（ｉ）前記中央喉部２４、（ｉｉ）前記弁１６の下方の前記通路領域４６、（ｉｉｉ）前記ポケット４１の内部によって画成されることが理解されよう。前記弁要素３８と前記各リブ１１７は、前記通路に対して横断方向に可動である。
【００４６】
使用時、弛緩または非押圧状態にある前記押しボタン３４によって、前記各リブ１１７と前記弁要素３８は、図７に示した位置にあり、それによって、ただ一個の前記菓子物品Ｃが前記中央喉部２４の底部に落下することを許容する。
【００４７】
ただ一個の前記菓子物品Ｃを取り出したい場合、前記押しボタン３４が手動で内方に押圧される。ただ一個の前記菓子物品Ｃを取り出し可能にすると同様に、前記押しボタン３４の押圧は、如何なる別異の各菓子物品Ｃが前記中央喉部２４の底部に、更に位置合わせされた前記各開口部２８，４０を経て通過することを阻止するように、前記各リブ１１７を前記各平行リブ１３０に向けて移動させる。
【００４８】
各図面に示されていないが、前記底壁２６と前記弁要素３８の相互に対向する各表面は、小さな横方向リブを配設させ、それによって、前記弁１６が開くと、前記弁要素３８の前記リブが前記底壁２６の前記リブ上を通過すると、可聴クリック音が生成される。
【００４９】
（産業上の利用の可能性）
上述した記載から、前記ディスペンサ全体が僅か二個の成形品によって画成され、前記ディスペンサは、汚染物質の侵入を許す最小限の外部接合部を有して非常に経済的に製造可能にすることが理解されるであろう。更に，前記ディスペンサは、単純あり且つ片手で操作するのに都合が良い。
【図面の簡単な説明】
【図１】本発明に基づくディスペンサの一実施態様を示す正面縦断面図である。
【図２】図１のディスペンサの横方向縦断面図である。
【図３】図１と図２のディスペンサの正面図である。
【図４】図１〜３のディスペンサの側面図である。
【図５】図１〜４のディスペンサの略横断面図である。
【図６】本発明に基づくディスペンサの他の実施態様を示す正面縦断面図である。
【図７】図６のディスペンサの横方向縦断面図である。
【図１】
0003704124.tif 000002
【図２】
0003704124.tif 000003
【図３】
0003704124.tif 000004
【図４】
0003704124.tif 000005
【図５】
0003704124.tif 000006
【図６】
0003704124.tif 000007
【図７】
0003704124.tif 000008